(57)【要約】【目的】自然界に無尽蔵に存在する自然エネルギーを回収する試みは従来よりなされているが、効果的な回収方法は未だ存在せず、石油などの化石燃料を用いるエネルギー機構に取って代ることは出来なかった。【構成】流体受圧面５が曲率の大きい球面状にくぼんでいると共に、該流体受圧面５の表面に末広がり状に多数の縦溝６が形成された丈の短いブレード１を、回転体に多数取付けて流体エネルギー回収用回転体を構成した。【選択図】        図１
2005180373.tif 000002
【特許請求の範囲】
【請求項１】
流体受圧面５が曲率の大きい球面状にくぼんでいると共に、該流体受圧面５の表面に末広がり状に多数の縦溝６が形成された丈の短いブレード１を、回転体に多数取付けたことを特徴とする流体エネルギー回収用回転体。
【請求項２】
一対の円板状枠体２の間にブレード１を等間隔で放射状に固定したことを特徴とする請求項１記載の流体エネルギー回収用回転体。
【請求項３】
軸から放射状にブレード１が植設されたプロペラ水車状を呈していることを特徴とする請求項１記載の流体エネルギー回収用回転体。
【請求項４】
エネルギーを回収すべき流体が水であること特徴とする請求項１記載の流体エネルギー回収用回転体。
【請求項５】
エネルギーを回収すべき流体が空気であることを特徴とする請求項１記載の流体エネルギー回収用回転体。
【請求項６】
ブレード１の縦溝の幅が約０．５ｍｍであることを特徴とする請求項１記載の流体エネルギー回収用回転体。
【請求項７】
ブレード１の丈が約２６ｍｍであることを特徴とする請求項１記載の流体エネルギー回収用回転体。
【請求項８】
ブレード１の枚数が２８枚であることを特徴とする請求項１記載の流体エネルギー回収用回転体。
【請求項９】
ブレード１の流体受圧面丈５の球面状くぼみの曲率が４３Ｒであることを特徴とする請求項１記載の流体エネルギー回収用回転体。
【発明の詳細な説明】
【技術分野】
【０００１】
この発明は流体エネルギー回収用回転体、詳しくは極めて高い回収効率で水や空気の流れからエネルギーを回収できる装置に関するものである。
【背景技術】
【０００２】
近年地球環境悪化の元凶であるとされている石油等の化石燃料の消費を抑制する一環として、水や空気などといった自然界に存在する流体エネルギーを積極的かつ効率的に利用する試みがなされている。これら流体エネルギーを回収するには、水車や風車といった回転機構を用いるのが普通である。
【特許文献１】なし
【非特許文献１】なし
【発明の開示】
【発明が解決しようとする課題】
【０００３】
従来から用いられている水車や風車といった回転機構は、流体エネルギーの回収率が低く、自然界に存在するエネルギーを十分に回収することが出来ず、化石燃料を用いたエネルギー機構に取って代わるものには至っていないのが現状である。本発明者は無尽蔵とも言える自然界に存在する流体エネルギーを有効利用する方法を長年研究した結果、水中を信じられない程の高速で移動できる回遊魚の尾ひれや、空中を高速で、あるいは、長時間自由に飛行出来る鳥類の翼、などの形状や構造をヒントに、自然界に無尽蔵に存在する流体エネルギーを無駄なく有効に回収できる画期的な流体エネルギー回収用回転体を開発することに成功し、本発明としてここに提案するものである。
【課題を解決するための手段】
【０００４】
流体受圧面５が曲率の大きい球面状にくぼんでいると共に、該流体受圧面５の表面に末広がり状に多数の縦溝６が形成された丈の短いブレード１を、回転体に多数取付けて流体エネルギー回収用回転体を構成することにより、上記課題を解決した。
【発明の効果】
【０００５】
ブレード1の流体受圧面５に水などの流体を衝突させ、その反動として回転体を回転させ、流体エネルギーを回転力に変換して回収するのであるが、ブレード１の流体受圧面５の曲率を特定の数値にすると共に、その表面に末広がり状に多数の縦溝６を形成させ、しかもブレード１の丈を短くし、更にはブレード１の枚数を多くすることにより、従来の風車や水車に比べ、飛躍的に回転効率が向上し、高速回転が可能で、流体エネルギーを無駄なく回収出来る様になった。
【発明を実施するための最良の形態】
【０００６】
回転体に多数取り付けられているブレード１の流体受圧面５には、縦溝６が末広がり状に形成されており、その幅は約０．５ｍｍ、ブレード１の丈は約２６ｍｍ、その枚数は２８枚、ブレード１の流体受圧面５の球面状くぼみの曲率は４３Ｒである。
【実施例１】
【０００７】
以下、図面を参照しながら、本発明の実施例について説明する。
図１はこの発明に係る流体エネルギー回収回転体の実施例１の斜視図であり、図中１はブレード、２は円板状の枠体であり、一対の円板状枠体２，２間にはブレード１が多数等間隔で放射状に取付けられている。ブレード１は図３に示す様に、長方形をした基部３の前方側に台形状をした張り出し片４が一体的に形成された平面形状をなしており、一方の面が流体受圧面５となっている。
【０００８】
そして、この流体受圧面５には基部３方向へ向って末広がり状に多数の縦溝６が形成されている。又、このブレード１は、その丈（図３におけるＡ）が比較的短く形成されており、流体受圧面５は曲率の大きい球面状にくぼんでいる。
【０００９】
このブレード１は図１及び図２に示す様に、流体受圧面５を内側にして枠体２に固定されている。なお、この実施例においては、縦溝６の幅は０．５ｍｍ、ブレード１の丈は２６ｍｍ、流体受圧面５の曲率は４３Ｒ、ブレード１の枚数は２８枚となっている。  
【００１０】
この実施例は上記の通りの構成を有するものであり、図４に示す様に、枠体２の内側にノズル７を配置し、このノズル７からブレード１の流体受圧面５に向って水などの流体を噴射してその反動によって回転させ、流体エネルギーを回転力として取り出すものである。この際、ブレード１には多数の縦溝６が形成されているので、この縦溝６によって流体と流体受圧面５との接触面積は大きくなり、しかもこの縦溝６は末広がり状に形成されているので、流体受圧面５上を流体が流れ易くなり、流体エネルギーはブレード１に効率よく伝達される。
【００１１】
又、流体受圧面５は曲率の大きい球面状にくぼんでいるので、流体の圧力は流体受圧面５に集中し、その一部が分散されて無駄になる事態が阻止される。更に、ブレード１の丈は、幅に比べて短いので高速回転に適しており、回転数が増加しても、その効率が低下することがない。
【００１２】
下表はブレード１の縦溝６の幅、ブレード１の丈、ブレード１の枚数、ブレード１の流体受圧面５の曲率をそれぞれ変更して回転体の回転数を計測した結果であり、縦溝６の幅は０．５ｍｍの場合が、ブレード１の丈は２６ｍｍの場合が、ブレード１の枚数は２８枚の場合が、ブレード１の流体受圧面５の曲率は４３Ｒの場合がそれぞれ最も高い回転数を得ており、これらを組み合わせたとき、最も効率的に流体エネルギーを回収出来ていることが明らかである。
【００１３】
【表１】
2005180373.tif 000003
【００１４】
なお、上記実施例は流体の流動方向と回転体の回転軸とが直交しているペルトン水車形であるが、流体の流動方向と回転体の回転軸とが平行なプロペラ水車形であっても良く、その場合には、軸から放射状に植設されたそれぞれのプロペラが本発明のブレード１に相当することになる。又、エネルギー源となる液体としては水などの液体だけではなく、他の流体を用いることも出来る。
【産業上の利用可能性】
【００１５】
発電をはじめ、あらゆるエネルギー産業において利用可能である。
【図面の簡単な説明】
【００１６】
【図１】この発明に係る流体エネルギー回収用回転体の実施例１の斜視図。
【図２】その部分拡大斜視図。
【図３】その要部であるブレード１の斜視図。
【図４】この発明に係る流体エネルギー回収用回転体を駆動する状況を説明する説明図。
【符号の説明】
【００１７】
１    ブレード
２    枠体
３    基部
４    張り出し片
５    流体受圧面
６    縦溝
７    ノズル
８    回転軸
９    流体
【図１】
2005180373.tif 000004
【図２】
2005180373.tif 000005
【図３】
2005180373.tif 000006
【図４】
2005180373.tif 000007